(57)【要約】      （修正有）【課題】構造体の流路における所望の箇所の流体の流れを促して高い循環性能を担保し得る流路を提供する。【解決手段】水ジャケット５は、主連通流路５２とは別に、ブロック側流路５１及びヘッド側流路５３を連通させるように設けられ、ヘッド側流路５３への接続箇所においてヘッド側流路５３に平面方向に対し交差する方向から冷却水を概略帯形状をなす帯状流Ｙとして流入させて、ヘッド側流路５３の循環流Ｘの流れ方向を変更させる概略スリット形状をなす連通部６を有する連通流路５４とを具備する。【選択図】図１
2014126015.tif 000002
【特許請求の範囲】
【請求項１】
構造体の内部に流体を循環させるための流路であって、
外部から圧送された流体を平面的に循環させる第一循環流路と、
前記第一循環流路に対し平面視重複して位置付けられる第二循環流路と、
前記第一循環流路及び前記第二循環流路を連通させるように設けられ第二循環流路への接続箇所において前記第二循環流路に平面方向に対し交差する方向から流体を概略帯形状をなす帯状流として流入させて前記第二循環流路の循環流の流れ方向を変更させる概略スリット形状をなす連通部を有する連通流路とを具備することを特徴とする流路。
【請求項２】
前記構造体が内燃機関であり、この内燃機関が、ガスケットを介してシリンダブロックとシリンダヘッドとが重層され且つ前記連通部がこれらガスケット、シリンダブロック及びシリンダヘッドに設けられた各開口を連通させることにより設けられたものであり、
前記各開口の平面視位置を異ならせることにより前記連通部をスリット形状に連通させて形成している請求項１記載の流路。
【請求項３】
ガスケット、シリンダブロック及びシリンダヘッドに設けられた各開口の平面視の位置を所定方向に徐変することにより前記連通部をスリット形状としている請求項２記載の流路。
【請求項４】
前記連通部が、複数のスリットを有している請求項１、２又は３記載の流路。
【発明の詳細な説明】
【技術分野】
【０００１】
本発明は、構造体内に流体を循環させるための流路の構造に関するものである。
【背景技術】
【０００２】
従来、内燃機関といった構造体内に流体を循環させることにより冷却を速やかに行うべく、内燃機関の内部には冷却流路等の流路が設けられている。この冷却流路に関しては、内燃機関において温度上昇し易い箇所を効率的に冷却すべく、その冷却流路の具体的な配置や形状について、種々の態様のものが提案されている（例えば、特許文献１参照）。そして近時では、内燃機関の低燃費化や出力の増大を目的として種々の改良が行われており、それらにともなって、特に内燃機関の排気側といった特定の箇所の冷却を優先的に促すべく、前記特定の箇所近傍にある冷却流路を部分的に拡大化させる傾向にある。
【０００３】
しかしながら冷却流路を部分的に拡大すると、冷却流体がその拡大部分を効率よく流れずに停滞してしまうという可能性を生ずる。そのような状態になると水温上昇が生じ、冷却水が沸騰してしまう不具合も招来してしまう。かかる不具合を解消すべく、冷却流体の停滞が起こり易いと考えられる所望の箇所における冷却流体の流れを促すために冷却流路内に新たに壁面等の整流構造を設けるという対応も考えられるが、かかる対応によると、整流構造自体も冷却流体に対する抵抗となることも鑑みねばならず、冷却流路の構造がいきおい複雑なものとなり強度を担保し得なかったり、強度を補うべく内燃機関すなわち構造自体がいきおい不要に大型化してしまったりすることとなる。
【先行技術文献】
【特許文献】
【０００４】
【特許文献１】特開昭６０−２３７１４４号公報
【発明の概要】
【発明が解決しようとする課題】
【０００５】
本発明は、このような不具合に着目したものであり、構造の大型化や複雑化を回避しつつ所望の箇所の流体の流れを促して速やかな循環を担保し得る構造体の流路を提供することを目的としている。
【課題を解決するための手段】
【０００６】
本発明は、このような目的を達成するために、次のような手段を講じたものである。
【０００７】
すなわち本発明に係る流路は、構造体の内部に流体を循環させるための流路であって、外部から圧送された流体を平面的に循環させる第一循環流路と、前記第一循環流路に対し平面視重複して位置付けられる第二循環流路と、前記第一循環流路及び前記第二循環流路を連通させるように設けられ第二循環流路への接続箇所において前記第二循環流路に平面方向に対し交差する方向から流体を概略帯形状をなす帯状流として流入させて前記第二循環流路の循環流の流れ方向を変更させる概略スリット形状をなす連通部を有する連通流路とを具備することを特徴とする。
【０００８】
ここで、平面的とは厳密に水平方向に限定されるものではない、構造体の一時的な姿勢変更等により垂直や傾斜方向であってもよく、また部分的に起伏を有するように循環する流路としても良い。すなわち、第一循環流路及び第二循環流路において流体が循環する方向とは、連通流路とは交差する方向であればどのような方向であってもよい。また、「スリット形状」とは、必ずしも平面視における形状がスリット形状をなすものに限られず、平面視で開口されていなくとも立体的に連通されているものであれば良い。
【０００９】
このようなものであれば、連通部を通って噴出する流体の形状を棒状すなわち概略帯形状とすることで、いわゆる流体の縦壁ができる。この流体の縦壁を利用することで、循環流の流れを所望の方向にコントロールできるため、構造体内に流体を隈無く循環させることができる。また格別の構成を流路内に追加して流路の構造が複雑化することも有効に回避することができるので、強度を担保すべく不要に構造体を大型化させることも回避し得る。特に帯状流により流路における所望の箇所へ優先的に流体を誘導することができるので、流体による冷却を目的とする場合では冷却損失も有効に削減することにより燃費向上にも資する。
【００１０】
前記構造体が内燃機関でありこの内燃機関が、ガスケットを介してシリンダブロックとシリンダヘッドとが重層され且つ前記連通部がこれらガスケット、シリンダブロック及びシリンダヘッドに設けられた各開口を連通させることにより設けられたものである場合、これらそれぞれにスリット形状をなす開口を成形することを有効に回避しつつ簡素な構成によりスリット形状をなす連通部を実現するためには、前記各開口の平面視位置を異ならせることにより前記連通部をスリット形状に連通させて形成することが望ましい。
【００１１】
また連通部によって循環流の流れをより好適に所望の方向へ導き得るようにするためには、ガスケット、シリンダブロック及びシリンダヘッドに設けられた各開口の平面視の位置を所定方向に徐変することにより前記連通部をスリット形状とすることが望ましい。このようなものであれば、帯状流の流れを所定方向に沿って傾斜させることができるので、循環流の流れを好適に誘導し得る。
【００１２】
また流路の形状に応じて所望の方向へ循環流を導き得るようにするためには、前記連通部を、複数のスリットを有したものとすることが望ましい。
【発明の効果】
【００１３】
本発明によれば、構造体の大型化や複雑化を回避しつつ流路における所望の箇所の流れを促した、高い循環性能を担保し得る流路を提供することができる。
【図面の簡単な説明】
【００１４】
【図１】本発明の一実施形態に係る構造体を背面側から見た模式的な図。
【図２】同実施形態に係る流路をシリンダヘッドの底面側から見た図を。
【図３】同実施形態に係る流路をガスケットの底面側から見た図。
【図４】同実施形態に係る図２の要部に対応した作用説明図。
【図５】同実施形態に係る図２の要部に対応した他の作用説明図。
【図６】図５に係る要部の拡大図。
【図７】同実施形態に係る要部の断面図。
【発明を実施するための形態】
【００１５】
本発明の一実施形態を、図面を参照して説明する。図１に、本実施形態における構造体である車両用内燃機関の概要を示す。本実施形態の内燃機関は、例えばポート噴射式の４ストローク火花点火エンジンであり、三つの気筒１ａ、１ｂ、１ｃを具備する。それら気筒１ａ、１ｂ、１ｃは直列配置されている。この内燃機関は前記気筒１ａ、１ｂ、１ｃを内部に構成すべく、下側からシリンダブロック２、ガスケット３、そしてシリンダヘッド４の順に重層された状態で強固に固定されている。そして内燃機関は各気筒１ａ、１ｂ、１ｃの燃焼による過度の温度上昇を回避すべく、シリンダブロック２、ガスケット３及びシリンダヘッド４に亘って流路たる水ジャケット５を形成している。またガスケット３は、本実施形態では外形が略等しい三枚のガスケットメンバ３０を重層させてなるものとしている。
【００１６】
水ジャケット５は、外部から図示しないポンプにより圧送された流体たる冷却水を圧入口５ａから導入し、排出口５ｂから排出する。この水ジャケット５は内燃機関内を隈無く循環させて冷却すべく、シリンダブロック２内を平面的に循環させる外部から圧送された冷却水を平面的に循環させる第一循環流路たるブロック側流路５１と、このブロック側流路５１に対し平面視重複する位置におけるシリンダヘッド４内に設けられ、当該シリンダヘッド４内で冷却水を循環させる第二循環流路たるヘッド側流路５３と、これらブロック側流路５１の下流側端部及びヘッド側流路５３の上流側端部とを連通する主連通流路５２とを有している。
【００１７】
ブロック側流路５１は、第一気筒１ａと第二気筒１ｂとの間の吸気側に設けられた圧入口５ａから導入された冷却水を吸気側から第三気筒１ｃで折り返し、排気側を通って再び第一気筒１ａの近傍にまで循環させることで、シリンダブロック２を冷却するものである。
【００１８】
主連通流路５２は、ブロック側流路５１からの殆どの冷却水を略鉛直方向に上昇させてヘッド側流路５３へ連続するものである。
【００１９】
ヘッド側流路５３は、ヘッド側流路５３に連続し、シリンダヘッド４における第一気筒１ａから第三気筒１ｃの吸気側沿って延びる吸気側流路５５と、この吸気側流路５５に概略平行するように第一気筒１ａから第三気筒１ｃの排気側に沿って延びる排気側流路５６とを有している。そして排気側流路５６は、主連通流路５２の導入孔５２ａから第一気筒１ａ近傍に至るまでの領域、そして第一気筒１ａと第二気筒１ｂとの間の領域、第二気筒１ｂと第三気筒１ｃとの間の領域に設けられた概略筒状をなす幅狭部５７と、各気筒１ａ、１ｂ、１ｃの排気側に設けられた拡張部５８、５８ａとが交互に位置付けられた構成をなす。ここで第三気筒１ｃに対応して設けられた拡張部５８ａは、第三気筒１ｃ近傍において図示しない締結用のボルトを挿通させる領域を確保するために、略同形状をなす第一気筒１ａ、第二気筒１ｂに対応する拡張部５８に比べて流路長を短く設定してある。
【００２０】
ここで、本実施形態に係る内燃機関の冷却流路たる水ジャケット５は、前記主連通流路５２とは別に前記ブロック側流路５１及び前記ヘッド側流路５３を連通させるように設けられヘッド側流路５３への接続箇所において前記ヘッド側流路５３に平面方向に対し交差する方向から冷却水を概略スリット形状をなす連通部６から流入させて前記幅狭部５７から前記拡張部５８へ至る平面方向の循環流Ｘを分岐させる帯状流Ｙを形成する連通流路５４とを具備することを特徴とする。
【００２１】
以下、かかる連通流路５４の構成について説明する。
【００２２】
連通流路５４は、図１〜図６に示すように、前記主連通流路５２とは別に各気筒１ａ、１ｂ、１ｃの近傍における拡張部５８と、その略直下に位置するブロック側流路５１とを連通させている。これら連通流路５４とブロック側流路５１との接続位置では主連通流路５２との接続位置よりも圧入口５ａに対し、より近接している。そのため各連通流路５４内の水圧は、主連通流路５２内の水圧よりも高い。そして連通流路５４は連通部６を介して冷却水をブロック側流路５１へ向けて吐出することにより、帯状流Ｙを形成する。また連通部６は拡張部５８における幅狭部５７近傍の位置に設けられている。これにより、幅狭部５７を経て流れる循環流Ｘは帯状流Ｙによりその下流側で分岐されることとなる。つまり、連通部６の位置は冷却水の流れ方向を変化させたい場所の上流側に位置するようにしている。
【００２３】
連通部６は、第一気筒１ａに対応する第一連通部６１と、第二気筒１ｂに対応する第二連通部６２と、第三気筒１ｃに対応する第三連通部６３とで、その開口面積を異ならせている。具体的には、第一連通部６１、第二連通部６２及び第三連通部６３の開口面積をそれぞれ、直径１０ｍｍ、直径３ｍｍ及び直径４．２ｍｍ相当の面積に設定してある。第三連通部６３の開口面積を第二連通部６２の開口面積よりも大きくしているのは、第三気筒１ｃに対応する拡張部５８ａの流路長が第二気筒１ｂに対応する拡張部５８の流路長よりも短いため、速やかに拡張部５８全体へ冷却水の流れを変更させて分岐させるためである。また第一連通部６１の開口面積を第二連通部６２の開口面積よりも大きくしているのは、第一気筒１ａに対応する拡張部５８と第二気筒１ｂに対応する連通部６が略同形状をなしており、且つ、循環流Ｘの水圧と第一循環流路たるブロック側流路５１の水圧との差圧が、第二気筒１ｂに対応する箇所の差圧の方が大きいためである。これにより、第一連通部６１及び第二連通部６２を設けることによる循環流Ｘの流れは略同じ挙動を取り得る。そして本実施形態では導入孔５２ａと第一連通部６１との距離を確保すべく、導入孔５２ａの位置を第一連通部６１から例えば導入孔５２ａの長手寸法程度に遠ざかるように退避させて設けている。これは第一連通部６１から発生する帯状流Ｙが導入孔５２ａ近傍の循環流Ｘに過度に干渉することを回避するためである。
【００２４】
本実施形態では図４に示すように、幅狭部５７をから拡張部５８に到達した循環流Ｘは、帯状流Ｙによって外側循環流Ｘ１と内側循環流Ｘ２とに少なくとも二手に分岐される。これは連通部６が構成されることにより、帯状流Ｙが生成されているからである。
【００２５】
また本実施形態では図５及び図６に示すように、連通部６の形状を調整することにより、循環流Ｘを上記とは異なる流れとすることも可能である。すなわち本実施形態では、図５及び図６のように、循環流Ｘを３方向に分岐させることも可能である。具体的には図６に示すように、長手寸法の異なる対をなすスリット６ａのうち、長手寸法が小さい内側に位置付けたスリット６ａを長手寸法が大きなスリット６ａと同程度、幅狭部５７へ近づけるように配置する。これにより、循環流Ｘは外側循環流Ｘ１、内側循環流Ｘ２、及び中循環流Ｘ３の３つに分岐することができる。このようなものであっても図４の態様と同じく、拡張部５８内に隈無く冷却水を循環させ得る。また本実施形態ではこれら対をなすスリット６ａを、循環流Ｘに直交する方向に５ｍｍ以上離間させることにより中循環流Ｘ３の流れを促すことを実現し、且つ、帯状流Ｙ自体が循環流Ｘの妨げとなることを有効に回避している。
【００２６】
また本実施形態では図６及び図７に示すように、ガスケット３、シリンダブロック２及びシリンダヘッド４に設けられた各開口２ａ、３０ａ、４ａを連通させることにより設けられたものであり、前記各開口２ａ、３０ａ、４ａの平面視位置を異ならせることにより前記連通部６をスリット形状に連通させて形成している。これにより、各開口２ａ、３０ａ、４ａの寸法を成形し易い大きさに設定しても、単独では成形が難しいまでの形状を有するスリット６ａを形成し得る。
【００２７】
また図７に示すように、より循環流Ｘを所望の方向へ誘導すべく、ガスケット３、シリンダブロック２及びシリンダヘッド４に設けられた各開口２ａ、３０ａ、４ａの平面視の位置を所定方向に徐変することにより前記連通部６をスリット形状としても良い。このようにすることで、立体的な冷却水の流れを作ることができ、当該スリット６ａにより形成される帯状流Ｙは積極的に循環流Ｘの流れる方向を制御することができ、より理想的な流れを排気側流路５６内に形成することができる。
【００２８】
以上のような構成とすることにより、本実施形態に係る内燃機関の水ジャケット５は、前記シリンダヘッド４側の循環流Ｘの流れ方向を変更し得るように、スリット６ａからなる連通部６を有する、前記帯状流Ｙを形成し得る連通流路５４を具備している。これにより、連通部６を通って噴出する流路たる冷却水の形状を棒状すなわち概略帯形状とすることで、いわゆる冷却水の縦壁ができる。この冷却水の縦壁を利用することで、循環流Ｘの流れを所望の方向にコントロールできるため、構造体たる内燃機関の冷却効率を向上させることができる。また格別の構成を水ジャケット５内に追加して水ジャケット５の構造が複雑化することも有効に回避することができるので、強度を担保すべく不要に内燃機関を大型化させることも回避して製造コストの低減にも寄与している。特に帯状流Ｙにより水ジャケット５における所望の箇所を優先的に冷却することができるので、冷却損失も有効に削減することにより燃費向上にも資する。
【００２９】
前記内燃機関が、ガスケット３、シリンダブロック２及びシリンダヘッド４に設けられた各開口２ａ、３０ａ、４ａをスリット形状に成形することを有効に回避しつつ簡素な構成によりスリット形状をなす連通部６を実現するために本実施形態では、前記各開口２ａ、３０ａ、４ａの平面視位置を異ならせることにより前記連通部６をスリット形状に連通させてスリット６ａを形成している。
【００３０】
また連通部６によって循環流Ｘの流れをより好適に所望の方向へ導き得るようにするために本実施形態では、ガスケット３、シリンダブロック２及びシリンダヘッド４に設けられた各開口２ａ、３０ａ、４ａの平面視の位置を所定方向に徐変することにより前記連通部６をスリット形状としている。これにより、帯状流Ｙの流れを所定方向に沿って傾斜させ、循環流Ｘの流れを好適に誘導している。
【００３１】
前記連通部６を、複数のスリット６ａを有したものとすることにより、排気側流路５６の循環流Ｘの流れを所望の形状に好適に導き得るようにしている。
【００３２】
以上、本発明の実施形態について説明したが、各部の具体的な構成は、上述した実施形態のみに限定されるものではなく、本発明の趣旨を逸脱しない範囲で種々変形が可能である。例えば上記実施形態では流体として冷却流体である冷却水を適用した態様を開示したが勿論、流体とは水や油といった液体に限られることはなく気体をも含む、流路内を流れうる物質全般を包含する概念である。また勿論流体は冷却を目的としたものに限られない。すなわち潤滑目的や加温等、流体が奏し得る作用を促す目的であれば問わない。また本発明は、冷却流体がシリンダヘッドの吸気側に導入されるいわゆる先行冷却方式の内燃機関に導入してもよいが、上記実施形態のようにシリンダブロックから冷却水を導入する内燃機関に本発明を適用すれば、連通流路を設ける事により発生する排気側流路の流体圧と第一循環流路の流体圧との差圧を大きく確保し得るため、排気側流路における冷却流体の流れをより大きく変更させることができる。また上記実施形態では帯状流により循環流が分岐される態様を開示したが勿論、循環流の方向を変える構成であれば分岐させないような連通部としても良い。また連通部を設ける位置は連通部の形状がスリット状であれば、第二循環流路の何れの位置に配置しても良い。
【００３３】
また例えば、上記実施形態では直列三気筒の内燃機関に本発明を適用した態様を開示したが、勿論、気筒の数は限定されることはない。また冷却流路の具体的な系路や形状といった具体的な態様は上記実施形態のものに限定されることはなく、既存のものを含め、種々の態様のものを適用することができる。
【００３４】
その他、各部の具体的構成についても上記実施形態に限られるものではなく、本発明の趣旨を逸脱しない範囲で種々変形が可能である。
【産業上の利用可能性】
【００３５】
本発明は内燃機関の冷却流路として利用することができる。
【符号の説明】
【００３６】
５…流路（水ジャケット）
５１…第一循環流路（ブロック側流路５１）
５２…主連通流路
５３…第二循環流路（ヘッド側流路）
５４…連通流路５４
６…連通部
Ｘ…循環流
Ｙ…帯状流
【図１】
2014126015.tif 000003
【図２】
2014126015.tif 000004
【図３】
2014126015.tif 000005
【図４】
2014126015.tif 000006
【図５】
2014126015.tif 000007
【図６】
2014126015.tif 000008
【図７】
2014126015.tif 000009